(57)【要約】【課題】本発明は、従来に比べて袖まくりした場合に、袖まくりが解けにくいシャツを提供する。【解決手段】伸縮部材５３と、パラシュートボタン５５を有し、カフスは、少なくとも２枚の布状のカフス形成部が縫製されて形成されており、伸縮部材５３は、帯状であって、長手方向に伸縮可能であり、さらに長手方向の中間部にパラシュートボタン５５が取り付けられており、伸縮部材５３は、端部が２枚のカフス形成部によって挟まれて縫製されており、カフスは、パラシュートボタン５５と係合可能なボタンホール６１を備えている構成とする。【選択図】図９
2018145573.tif 000002
【特許請求の範囲】
【請求項１】
カフスと、剣ボロを備えたシャツであって、
弾性を有した伸縮部材と、ボタンを有し、
前記カフスは、少なくとも２枚の布状のカフス形成部が縫製されて形成されており、
前記剣ボロは、布状の剣ボロ形成部が縫製されて形成されており、
前記伸縮部材は、帯状であって、長手方向に伸縮可能であり、さらに長手方向の中間部に前記ボタンが取り付けられており、
前記伸縮部材は、以下（１）〜（４）のいずれかの構成を満たしており、
前記カフス又は前記剣ボロは、前記ボタンと係合可能なボタンホールを備えていることを特徴とするシャツ。
（１）前記伸縮部材は、長手方向の中間部で折り返され、両端部が前記２枚のカフス形成部によって挟まれて縫製されている。
（２）前記剣ボロ形成部は、中間部で折り返されて２つの覆部を備えており、前記伸縮部材は、長手方向の中間部で折り返され、両端部が前記２つの覆部によって挟まれて縫製されている。
（３）前記伸縮部材は、一方の端部が前記２枚のカフス形成部に挟まれており、他方の端部が前記２枚のカフス形成部の一方のカフス形成部と、前記２枚のカフス形成部とは異なるカフス形成部によって挟まれて縫製されている。
（４）前記剣ボロ形成部は、中間部で折り返されて２つの覆部を備えており、前記伸縮部材は、一方の端部が前記２枚のカフス形成部に挟まれており、他方の端部が前記２つの覆部に挟まれて縫製されている。
【請求項２】
前記伸縮部材は、幅が厚みよりも長い帯状体であり、
前記ボタンは、パラシュートボタンであって、前記伸縮部材の中間部を挿入可能な一対のスリット溝を備えており、
前記伸縮部材は、前記スリット溝内に位置する部分の幅方向が当該スリット溝の延び方向と実質的に同一方向となることを特徴とする請求項１に記載のシャツ。
【請求項３】
前記伸縮部材の中間部は、前記カフスの縁又は前記剣ボロの縁から外側に向かって張り出しており、
前記ボタンは、前記伸縮部材の張出方向の端部に取り付けられていることを特徴とする請求項１又は２に記載のシャツ。
【請求項４】
前記カフスは、前記カフス形成部に縫い付けられる第２ボタンと、前記第２ボタンと係合可能な第２ボタンホールを有し、
前記伸縮部材の前記カフスの縁からの張出長さは、前記第２ボタンホールの前記カフスの縁からの距離の０．８倍以上１．２倍以下であることを特徴とする請求項３に記載のシャツ。
【請求項５】
前記カフスは、前記カフス形成部に縫い付けられる第２ボタンと、前記第２ボタンと係合可能な第２ボタンホールを有し、
前記伸縮部材は、前記第２ボタンを前記第２ボタンホールで留めたときに、前記カフスの一部又は前記剣ボロの一部に隠されており、前記ボタンを平面視したときに、実質的に視認不能となっていることを特徴とする請求項１乃至４のいずれかに記載のシャツ。
【請求項６】
前記カフスは、前記ボタンホールと、カフス形成部に縫い付けられる第２ボタンと、前記第２ボタンと係合可能な第２ボタンホールを有し、
前記ボタンホールと前記第２ボタンホールは、いずれもスリット溝であり、
前記ボタンホールは、袖丈方向において前記第２ボタンホールよりも前記剣ボロ側に位置し、かつ、前記第２ボタンホールとは異なる方向に延びていることを特徴とする請求項１乃至５のいずれかに記載のシャツ。
【請求項７】
前記伸縮部材は、前記ボタンを前記ボタンホールで留めたときに、前記ボタンホール内に位置する部分の幅方向が前記ボタンホールの延び方向と実質的に同一方向となることを特徴とする請求項１乃至６のいずれかに記載のシャツ。
【請求項８】
カフスと、剣ボロを備えたシャツであって、
弾性を有した伸縮部材と、パラシュートボタンを有したボタンユニットを有し、
前記伸縮部材は、幅が厚みよりも長い帯状体であって長手方向に伸縮可能であり、
前記パラシュートボタンは、一対のスリット溝を有し、前記伸縮部材の中間部が前記一対のスリット溝を通過して前記伸縮部材に対して取り付けられており、
前記スリット溝の延び方向は、前記伸縮部材の前記スリット溝内に位置する部分の幅方向と実質的に同一方向となっており、
前記ボタンユニットは、前記カフス又は前記剣ボロに取り付けられ、
前記カフス又は前記剣ボロは、前記パラシュートボタンと係合可能なボタンホールを備えていることを特徴とするシャツ。
【発明の詳細な説明】
【技術分野】
【０００１】
本発明は、ワイシャツ等のシャツに関するものであり、袖まくりを簡単に行うことができるシャツに関する。
【背景技術】
【０００２】
従来から、ワイシャツやカジュアルシャツ等の長袖シャツは、着用者によっては夏季等の気温が高い時期に暑さを和らげたり、水仕事などの際に汚れを防止したりするために袖まくりをして着用される場合がある（例えば、特許文献１）。例えば、カフスのボタンや剣ボロに設けられたガントレットボタンを外し、カフスの高さに合わせて複数回折り返して袖の長さを短くする。
こうすることによって、袖の長さが短くなり、着用者の腕が外部に露出するので、袖によって熱がこもりにくくなり、空気で肌を冷やすことができ、体感の暑さを緩和させることができる。また、着用者の腕が外部に露出するので、水仕事の際に水等が跳ねて袖に付くことを防止できる。
【先行技術文献】
【特許文献】
【０００３】
【特許文献１】特開２０１６−５５１４４号公報
【発明の概要】
【発明が解決しようとする課題】
【０００４】
しかしながら、上記した袖まくりを行っても、袖の折り返しが不十分である場合には、作業等を行う際の振動などによって、袖の折り返しが解けてしまい、袖がもとに戻ってしまう場合がある。特に水仕事を行っている最中に袖の折り返しが解けると、袖が作業の邪魔になったり、水等が跳ねて袖に付いたりする場合がある。
【０００５】
そこで、本発明は、従来に比べて袖まくりした場合に、袖まくりが解けにくいシャツを提供することを課題とする。
【課題を解決するための手段】
【０００６】
上記した課題を解決するための請求項１に記載の発明は、カフスと、剣ボロを備えたシャツであって、弾性を有した伸縮部材と、ボタンを有し、前記カフスは、少なくとも２枚の布状のカフス形成部が縫製されて形成されており、前記剣ボロは、布状の剣ボロ形成部が縫製されて形成されており、前記伸縮部材は、帯状であって、長手方向に伸縮可能であり、さらに長手方向の中間部に前記ボタンが取り付けられており、前記伸縮部材は、以下（１）〜（４）のいずれかの構成を満たしており、前記カフス又は前記剣ボロは、前記ボタンと係合可能なボタンホールを備えていることを特徴とするシャツである。
（１）前記伸縮部材は、長手方向の中間部で折り返され、両端部が前記２枚のカフス形成部によって挟まれて縫製されている。
（２）前記剣ボロ形成部は、中間部で折り返されて２つの覆部を備えており、前記伸縮部材は、長手方向の中間部で折り返され、両端部が前記２つの覆部によって挟まれて縫製されている。
（３）前記伸縮部材は、一方の端部が前記２枚のカフス形成部に挟まれており、他方の端部が前記２枚のカフス形成部の一方のカフス形成部と、前記２枚のカフス形成部とは異なるカフス形成部によって挟まれて縫製されている。
（４）前記剣ボロ形成部は、中間部で折り返されて２つの覆部を備えており、前記伸縮部材は、一方の端部が前記２枚のカフス形成部に挟まれており、他方の端部が前記２つの覆部に挟まれて縫製されている。
【０００７】
ここでいう「剣ボロ」とは、上ボロと下ボロを合わせたものをいう。
ここでいう「中間部」とは、端部以外の部位をいい、両端部の間の部分をいう。
【０００８】
本発明の構成によれば、カフス又は剣ボロに伸縮部材を介してボタンが取り付けられているので、ボタンをボタンホールに取り付けた状態で袖口を拡げることが可能である。そのため、ボタンをボタンホールに取り付けた状態で袖まくりが可能となる。
本発明の構成によれば、弾性を有した伸縮部材にボタンが取り付けられ、伸縮部材の両端部が２枚の形成部によって挟まれて縫製されているので、ボタンをボタンホールで留めた状態で袖まくりした場合に、復元力が働き、ぴったりと腕に袖が貼りつき袖が解けにくい。また、伸縮部材の中間部にボタンを取り付けているので、端部にボタンを取り付けた場合に比べて、伸縮力が強く働き、伸縮部材が伸びきりにくい。
【０００９】
請求項２に記載の発明は、前記伸縮部材は、幅が厚みよりも長い帯状体であり、前記ボタンは、パラシュートボタンであって、前記伸縮部材の中間部を挿入可能な一対のスリット溝を備えており、前記伸縮部材は、前記スリット溝内に位置する部分の幅方向が当該スリット溝の延び方向と実質的に同一方向となることを特徴とする請求項１に記載のシャツである。
【００１０】
本発明の構成によれば、伸縮部材にボタンをしっかりと取り付けることができる。
【００１１】
請求項３に記載の発明は、前記伸縮部材の中間部は、前記カフスの縁又は前記剣ボロの縁から外側に向かって張り出しており、前記ボタンは、前記伸縮部材の張出方向の端部に取り付けられていることを特徴とする請求項１又は２に記載のシャツである。
【００１２】
本発明の構成によれば、ボタンがカフス又は剣ボロの縁から離れた位置に設けられているため、着用時にボタンをボタンホールに留めやすい。
【００１３】
請求項４に記載の発明は、前記カフスは、前記カフス形成部に縫い付けられる第２ボタンと、前記第２ボタンと係合可能な第２ボタンホールを有し、前記伸縮部材の前記カフスの縁からの張出長さは、前記第２ボタンホールの前記カフスの縁からの距離の０．８倍以上１．２倍以下であることを特徴とする請求項３に記載のシャツである。
【００１４】
本発明の構成によれば、第２ボタンを第２ボタンホールに取り付けたときに、伸縮部材の大部分又は全部がカフスによって隠され、デザイン性が高い。
【００１５】
請求項５に記載の発明は、前記カフスは、前記カフス形成部に縫い付けられる第２ボタンと、前記第２ボタンと係合可能な第２ボタンホールを有し、前記伸縮部材は、前記第２ボタンを前記第２ボタンホールで留めたときに、前記カフスの一部又は前記剣ボロの一部に隠されており、前記ボタンを平面視したときに、実質的に視認不能となっていることを特徴とする請求項１乃至４のいずれかに記載のシャツである。
【００１６】
ここでいう「実質的に視認不能」とは、通常の使用状態では直接視界に入らないことをいう。
【００１７】
本発明の構成によれば、伸縮部材がカフス又は剣ボロによって隠されているので、伸縮部材に取り付けられたボタンを通常のボタンが付いているように見せることができ、デザイン性が高い。
【００１８】
請求項６に記載の発明は、前記カフスは、前記ボタンホールと、カフス形成部に縫い付けられる第２ボタンと、前記第２ボタンと係合可能な第２ボタンホールを有し、前記ボタンホールと前記第２ボタンホールは、いずれもスリット溝であり、前記ボタンホールは、袖丈方向において前記第２ボタンホールよりも前記剣ボロ側に位置し、かつ、前記第２ボタンホールとは異なる方向に延びていることを特徴とする請求項１乃至５のいずれかに記載のシャツである。
【００１９】
本発明の構成によれば、カフスにボタンホールと第２ボタンホールが存在し、ボタンホールが第２ボタンホールよりも剣ボロ側に位置するため、第２ボタンを締めたときに、伸縮部材がカフスの一部で隠れて見えにくくできる。
また、本発明の構成によれば、ボタンホールと第２ボタンホールが別方向に延びているため、第２ボタンを第２ボタンホールから外す際に、連動してボタンがボタンホールから外れることを防止できる。
【００２０】
請求項７に記載の発明は、前記伸縮部材は、前記ボタンを前記ボタンホールで留めたときに、前記ボタンホール内に位置する部分の幅方向が前記ボタンホールの延び方向と実質的に同一方向となることを特徴とする請求項１乃至６のいずれかに記載のシャツである。
【００２１】
本発明の構成によれば、ボタンをボタンホールに留めやすく、外しやすい。
【００２２】
請求項８に記載の発明は、カフスと、剣ボロを備えたシャツであって、伸縮部材と、パラシュートボタンを有したボタンユニットを有し、前記伸縮部材は、幅が厚みよりも長い帯状体であって長手方向に伸縮可能であり、前記パラシュートボタンは、一対のスリット溝を有し、前記伸縮部材の中間部が前記一対のスリット溝を通過して前記伸縮部材に対して取り付けられており、前記スリット溝の延び方向は、前記伸縮部材の前記スリット溝内に位置する部分の幅方向と実質的に同一方向となっており、前記ボタンユニットは、前記カフス又は前記剣ボロに取り付けられ、前記カフス又は前記剣ボロは、前記パラシュートボタンと係合可能なボタンホールを備えていることを特徴とするシャツである。
【００２３】
本発明の構成によれば、伸縮部材を介してパラシュートボタンが取り付けられているので、パラシュートボタンをボタンホールで留めた状態で袖口を拡げることが可能であり、パラシュートボタンをボタンホールで留めた状態で袖まくりが可能となる。
【発明の効果】
【００２４】
本発明のシャツによれば、従来に比べて、袖まくりを行ったときに、袖まくりが解けにくい。
【図面の簡単な説明】
【００２５】
【図１】本発明の第１実施形態に係るシャツを模式的に示した正面図である。
【図２】図１のシャツの背面図である。
【図３】図１のシャツの要部の斜視図である。
【図４】図１のシャツの要部の分解斜視図である。
【図５】図１のシャツの剣ボロの分解斜視図である。
【図６】図１のシャツの要部の断面斜視図である。
【図７】図１のシャツの要部の各状態を示す平面図であり、（ａ）は非係合状態、（ｂ）は袖まくり可能状態、（ｃ）は係合状態を表す。
【図８】図１のシャツの各状態を示す説明図であり、（ａ）は袖まくり可能状態、（ｂ）は係合状態の要部の断面斜視図である。
【図９】図１のシャツの使用例を示す説明図であり、（ａ）は通常の袖まくり可能状態、（ｂ）は袖まくりをした状態を表す。
【図１０】本発明の第２実施形態に係るシャツの要部の斜視図である。
【図１１】図１０のカフスの断面斜視図である。
【図１２】図１０のカフスの分解斜視図である。
【図１３】本発明の第３実施形態に係るシャツの要部の説明図であり、（ａ）は斜視図であり、（ｂ）は（ａ）のＡ−Ａ断面図である。
【図１４】本発明の第４実施形態に係るシャツの要部の説明図であり、（ａ）は斜視図であり、（ｂ）は（ａ）のＡ−Ａ断面図である。
【図１５】本発明の第５実施形態に係るシャツの要部の説明図であり、（ａ）は斜視図であり、（ｂ）は（ａ）のＡ−Ａ断面図である。
【図１６】本発明の第６実施形態に係るシャツの要部の説明図であり、（ａ）は斜視図であり、（ｂ）は（ａ）のＡ−Ａ断面図である。
【図１７】図１６のシャツの要部の分解斜視図である。
【図１８】本発明の第７実施形態に係るシャツの要部の説明図であり、（ａ）は斜視図であり、（ｂ）は（ａ）のＡ−Ａ断面図である。
【図１９】本発明の第８実施形態に係るシャツの要部の説明図であり、（ａ）は斜視図であり、（ｂ）は（ａ）のＡ−Ａ断面図である。
【図２０】本発明の他の実施形態に係るシャツの要部の説明図であり、（ａ）は斜視図であり、（ｂ）は（ａ）のＡ−Ａ断面図であり、（ｃ）は（ａ）のＢ−Ｂ断面図である。
【図２１】本発明の他の実施形態に係るシャツの要部の説明図であり、（ａ）は斜視図であり、（ｂ）は（ａ）のＡ−Ａ断面図である。
【図２２】本発明の他の実施形態に係るシャツの要部の斜視図である。
【図２３】本発明の他の実施形態に係るシャツの要部の斜視図である。
【発明を実施するための形態】
【００２６】
以下、本発明の実施形態について詳細に説明する。なお、上下前後左右については、着用者が通常姿勢で着用した状態を基準とする。
【００２７】
本発明の第１実施形態のシャツ１は、長袖のワイシャツであり、図１，図２から読み取れるように、主要構成部位として、身頃２と、肩ヨーク３と、衿５と、袖６を備え、これらの各部分が裁断した布状の生地を縫製することで形成されている。
本実施形態の袖６は、図３のように、ガントレットボタン３３、パラシュートボタン５５、及びボタン５１（又はボタン５２）と、それぞれに対応するボタンホール２７，６１，６０を備えている。
そして、本実施形態の袖６は、ボタン３３，５５，５１とボタンホール２７，６１，６０の係合により、少なくとも、図７に示される非係合状態と、袖まくり可能状態と、係合状態とに変更することが可能となっており、本実施形態のシャツ１は、この袖まくり可能状態の構造に主な特徴を有している。
そこで、以下の説明においては、袖６の構造を重点的に説明し、その他の構造については簡単に説明する。
【００２８】
身頃２は、主に着用者の胴体を覆うものであり、図１に示される一対の前身頃１０，１１と、図２に示される後身頃１２から構成されている。
【００２９】
肩ヨーク３は、肩から背中にかけての切り替え部であり、前身頃１０，１１と後身頃１２を接続する部分である。
衿５は、肩ヨーク３及び前身頃１０，１１に取り付けられ、着用者の首の周囲を囲む部位である。
【００３０】
袖６は、着用者の腕を覆う部位であり、筒状に延びた部位である。
上記したように袖６は、シャツ１の主な特徴をもつ部位であり、少なくとも非係合状態と、袖まくり可能状態と、係合状態とに変更することが可能となっている。
非係合状態は、図７（ａ）に示されるように、ガントレットボタン３３、パラシュートボタン５５、及びボタン５１，５２をボタンホール２７，６１，６０から外した状態である。
袖まくり状態は、図７（ｂ）に示されるように、ガントレットボタン３３及びパラシュートボタン５５をボタンホール２７，６１に係合させて袖６を締めた状態であり、着用者が袖まくりを好適に実施できる状態である。
係合状態は、図７（ｃ）に示されるように、ガントレットボタン３３、パラシュートボタン５５、及びボタン５１（又はボタン５２）をボタンホール２７，６１，６０で留めた状態である。
【００３１】
袖６は、図３に示されるように、主要構成部位として、袖本体１５と、剣ボロ１６と、カフス１７を備えている。
袖本体１５は、図１，図２に示されるように、袖６の大部分を構成する部位であり、基端部（一方の端部）が身頃２及び肩ヨーク３で構成されるアームホール１３に接続されており、先端部（他方の端部）側に剣ボロ１６及びカフス１７が取り付けられている。
袖本体１５は、図３，図５から読み取れるように、先端部（カフス７側端部）から基端部側（アームホール１３側）に向かって袖丈方向Ｓに直線状に延びた切り込み１８が形成されている。
【００３２】
剣ボロ１６は、図５のように、袖本体１５の切り込み１８の縁部４０，４１を覆うように取り付けられる部位であり、上ボロ２０と、下ボロ２１から構成されている。
上ボロ２０は、下ボロ２１とともに剣ボロ１６を形成する剣ボロ形成部であって、カフス１７のボタン５１を締めたときに、下ボロ２１の外側を覆う部位である。
上ボロ２０は、図４，図５のように、切り込み１８の一方の縁部４０に沿って延びた布体であり、縁部４０を覆うように幅方向中央部が折り返され、当該折り返し部分２２を境界として表面側覆部２５と裏面側覆部２６が形成されている。
表面側覆部２５は、袖本体１５の表側を覆う部位であり、剣先がアームホール１３側を向いて延びた剣状の部位である。
裏面側覆部２６は、袖本体１５の裏側を覆う部位であり、長辺方向が表面側覆部２５の延び方向と同一方向を向いた長方形状の部位である。
【００３３】
上ボロ２０は、長手方向の中間部にボタンホール２７を備えている。
ボタンホール２７は、下ボロ２１のガントレットボタン３３と係合可能な係合孔であり、上ボロ２０の長手方向にスリット状に延びたスリット溝である。
ボタンホール２７は、表面側覆部２５及び裏面側覆部２６に跨って設けられ、上ボロ２０を厚み方向（表面側覆部２５と裏面側覆部２６の重なり方向）に貫通した貫通孔である。
ボタンホール２７は、上ボロ２０の長手方向の中央部から４ｃｍの範囲に設けられることが好ましい。
この範囲であれば、ガントレットボタン３３を留めた状態で上ボロ２０と下ボロ２１の間隔が広がりすぎることを防止できる。
【００３４】
下ボロ２１は、図４，図５のように、上ボロ２０と対をなし、切り込み１８の他方の縁部４１に沿って延びた布体である。
下ボロ２１は、縁部４１を覆うように幅方向中央部が折り返され、折り返し部分３０を境界として表面側覆部３１と裏面側覆部３２が形成されている。
表面側覆部３１及び裏面側覆部３２は、いずれも長方形状の部位であって、長辺方向が同一方向となっており、上ボロ２０の表面側覆部２５及び裏面側覆部２６のいずれの幅（短辺の長さ）よりも幅（短辺の長さ）が狭くなっている。
【００３５】
下ボロ２１は、長手方向の中間部にガントレットボタン３３を備えている。
ガントレットボタン３３は、上ボロ２０のボタンホール２７と対をなす円板状のボタンであり、その中央部分が表面側覆部３１、袖本体１５、及び裏面側覆部３２に天然繊維製又は合成繊維製の糸で取り付けられている。ガントレットボタン３３は、係合状態において上ボロ２０のボタンホール２７と対応する位置に設けられている。
なお、特に断りのない限り、以下の説明において、単に「糸」と記載した場合は、天然繊維製又は合成繊維製の糸をいう。
【００３６】
カフス１７は、袖６の袖口を構成する部位であり、図４のように、カフス本体部５０と、ボタン５１，５２と、ボタンユニット５４を備えている。
【００３７】
カフス本体部５０は、図４に示されるように、少なくとも２枚のカフス形成布５６，５７が重ねられ縫い付けられて形成されており、ボタンホール６０，６１を備えている。
カフス形成布５６，５７は、帯状に延びた略長方形状の布体であり、カフス本体部５０を形成するカフス形成部である。
【００３８】
ボタンホール６０（第２ボタンホール）は、ボタン５１，５２のそれぞれと係合可能な係合孔であり、カフス本体部５０の延び方向（周方向Ｃ）にスリット状に延びたスリット溝である。ボタンホール６０は、カフス形成布５６，５７に跨って設けられ、カフス本体部５０の厚み方向（カフス形成布５６，５７の重なり方向）に貫通した貫通孔でもある。
ボタンホール６０は、カフス本体部５０の周方向Ｃの端部を構成する縁部８２から０．５ｃｍ〜１．５ｃｍの間に設けられることが好ましい。
【００３９】
ボタンホール６１は、パラシュートボタン５５と係合可能な係合孔であり、カフス本体部５０の延び方向に対する交差方向（本実施形態では直交方向）にスリット状に延びたスリット溝である。すなわち、ボタンホール６０とボタンホール６１は、異なる方向に延びており、その延び方向同士が交差する関係となっている。
ボタンホール６１は、カフス形成布５６，５７に跨って設けられ、カフス本体部５０の厚み方向（カフス形成布５６，５７の重なり方向）に貫通した貫通孔でもある。
ボタンホール６１は、カフス本体部５０の周方向Ｃの端部を構成する縁部８２から０．５ｃｍ〜１．５ｃｍの間に設けられることが好ましい。
【００４０】
ボタン５１，５２は、袖口の開口面積を調整するためのボタンであり、いずれもボタンホール６０と係合可能なボタンである。ボタン５１，５２は、カフス形成布５６に糸で取り付けられており、カフス形成布５６の延び方向（周方向Ｃ）に間隔を空けて並んでいる。
【００４１】
ボタンユニット５４は、伸縮部材５３と、パラシュートボタン５５から構成されており、伸縮部材５３をパラシュートボタン５５の溝部６５，６６に通したものである。
伸縮部材５３は、幅をもち、帯状に延びた帯状体であり、自己の延び方向に伸縮可能な弾性体である。
伸縮部材５３は、弾性をもち、自己の延び方向に伸縮可能なものであれば、特に限定されない。伸縮部材５３としては、例えば、平ゴムが採用できる。
【００４２】
パラシュートボタン５５は、図６に示されるように、伸縮部材５３の中間部に取り付け可能なボタンであり、一対の溝部６５，６６を備えている。
一対の溝部６５，６６は、ともに伸縮部材５３の中間部を挿入可能なスリット溝であり、厚み方向に貫通した貫通溝である。
一対の溝部６５，６６は、所定の間隔を空けて配されており、ともに延び方向が同一方向を向いており、平行となっている。すなわち、パラシュートボタン５５は、一対の溝部６５，６６に挟まれた係合部６７が形成されている。
係合部６７は、伸縮部材５３の折り返し部７０と係合可能な部位であり、パラシュートボタン５５の縁よりも中央側にあって両端が支持された棒状部位である。
【００４３】
続いて、本実施形態のシャツ１において各状態における袖６の各部位の位置関係について説明する。まず、ボタン３３，５５，５１，５２をボタンホール２７，６０，６１から外した非係合状態について説明する。
【００４４】
袖本体１５は、図１，図２に示されるように、基端部がアームホール１３に対して縫製されており、先端部がカフス１７と縫製されている。
袖本体１５の先端部側に形成された切り込み１８の一方の縁部４０には、図４，図５から読み取れるように、折り返し部分２２が被さるように上ボロ２０が糸で縫製されており、切り込み１８近傍は、上ボロ２０の表面側覆部２５及び裏面側覆部２６に挟まれている。すなわち、切り込み１８の一方の縁部４０は、上ボロ２０で保護されている。
一方、切り込み１８の他方の縁部４１には、折り返し部分３０が被さるように下ボロ２１が糸で縫製されており、切り込み１８近傍は、下ボロ２１の表面側覆部３１及び裏面側覆部３２に挟まれている。すなわち、切り込み１８の他方の縁部４１は、下ボロ２１で保護されている。
上ボロ２０の基端部と下ボロ２１の基端部は、切り込み１８の基端部近傍で袖本体１５を挟むように重なり部をもって縫製されている。
【００４５】
カフス形成布５６，５７は、各縁に沿って内側に折り返されており、折り返し部分同士が対向するように重ねられている。そして、カフス形成布５６，５７は、図３，図４から読み取れるように、袖本体１５の先端部（袖口側端部）と上ボロ２０の先端部、及び袖本体１５の先端部と下ボロ２１の先端部のそれぞれを挟むように糸で縫製されている。
【００４６】
ボタンユニット５４は、伸縮部材５３が図６のように中間部で折り返され、両端部がカフス形成布５６，５７に挟まれて縫い付けられている。すなわち、伸縮部材５３は、折り返し部７０で同一方向に折り返され、折り返し部７０を基準として一方側を構成する第１本体部７１と、他方側を構成する第２本体部７２が形成されている。
【００４７】
ボタンユニット５４は、図６に示されるように、伸縮部材５３の第１本体部７１の端部と第２本体部７２の端部が厚み方向に重なっており、当該重なり部分がカフス形成布５６，５７に挟まれている。
カフス形成布５６、第１本体部７１、第２本体部７２、及びカフス形成布５７の重なり部分には、縫い目７５，７６が形成されている。
縫い目７５，７６は、伸縮部材５３の幅方向（剣ボロ１６の延び方向）に延びた縫い目であり、少なくともカフス形成布５６、第１本体部７１、第２本体部７２、及びカフス形成布５７に跨って糸で縫われた縫い目である。
また、カフス形成布５６、第１本体部７１、第２本体部７２、及び袖本体１５の重なり部分には、縫い目７７が形成されている。
縫い目７７は、伸縮部材５３の長さ方向（剣ボロ１６の延び方向とは直交方向）に延びた縫い目であり、少なくともカフス形成布５６、第１本体部７１、第２本体部７２、及び袖本体１５に跨って糸で縫われた縫い目である。
なお、縫い目７６は、必要に応じて袖本体１５にも跨って縫われて設けられてもよいし、縫い目７７は、必要に応じて袖カフス形成布５７にも跨って縫われて設けられてもよい。
【００４８】
ボタンユニット５４は、カフス本体部５０によって片持ち状に支持されている。すなわち、伸縮部材５３の折り返し部７０は、カフス本体部５０の縁部８１から外側に向かって張り出して自由端を構成しており、パラシュートボタン５５が取り付けられている。
折り返し部７０の縁部８１からの張出長さは、反対側の縁部８２に最も近接するボタンホール６１の縁部８２からの距離の０．８倍以上１．２倍以下であることが好ましく、０．９倍以上１．１倍以下であることがより好ましい。
この範囲であれば、ボタン５１をボタンホール６０で留めたときに、概ね伸縮部材５３がカフス本体部５０で隠れ、デザイン性が高い。
【００４９】
続いて、ボタン３３，５５をボタンホール２７，６１に係合させて留めた袖まくり可能状態に変更した場合について説明する。
【００５０】
伸縮部材５３は、図８（ａ）に示されるように、周方向Ｃにおけるカフス１７の一方の端部をなす縁部８１から他方の端部をなす縁部８２側に跨って延びている。カフス本体部５０の縁部８１は、平面視したときに縁部８２と厚み方向に概ね揃っている。すなわち、伸縮部材５３は、カフス本体部５０の縁部８２側の部分に隠されている。
【００５１】
この袖まくり状態では、袖口側のカフス１７の開きが伸縮部材５３で制限された状態となっており、伸縮部材５３の弾性変形の範囲内において、カフス１７の縁部８１，８２間の距離が変動可能となっている。
そして、着用者が袖まくりすることで伸縮部材５３は弾性変形して延び、その復元力によって着用者の腕を締める方向に力が働く。そのため、着用者が袖まくりをした場合に着用者の腕にぴったりと袖６がはりつき、袖まくりが解けにくい。
【００５２】
続いて、ボタン３３，５５，５１をボタンホール２７，６１，６０に係合させて留めた係合状態について説明する。
【００５３】
カフス１７の一方の端部側（縁部８１側）は、パラシュートボタン５５がボタンホール６１に留められた状態で、他方の端部側（縁部８２側）と厚み方向に重なっており、ボタン５１は、ボタンホール６０と係合して留められている。
伸縮部材５３は、図８（ｂ）に示されるように、張出方向の基端部が折り返されており、先端部側でさらに折り曲げられている。すなわち、伸縮部材５３は、平面視したときに、カフス１７の一方の端部側（縁部８１側）の部分とカフス１７の他方の端部側（縁部８２側）の部分に重なり部分が存在し、伸縮部材５３は、当該部分に配されている。
【００５４】
伸縮部材５３のカフス本体部５０の縁部８１からの露出部分は、図８（ｂ）から読み取れるように、その大部分がカフス本体部５０で覆われて隠されており、パラシュートボタン５５を平面視したときに実質的に視認不能となっている。そのため、外面上、カフス１７上に伸縮部材５３が現れず、パラシュートボタン５５のみが外面に現れるので、デザイン性が高い。
【００５５】
本実施形態のシャツ１によれば、伸縮部材５３を介してパラシュートボタン５５が取り付けられているので、図９（ａ）のように、ボタン５１を外し、袖まくり可能状態とすることで、図９（ｂ）のようにパラシュートボタン５５を留めた状態で袖口の開口面積を大きくすることができ、袖まくりを行いやすい。
また、伸縮部材５３の復元力の範囲でカフス本体部５０の縁部８１，８２間が近接する方向、すなわち、袖口の開口が狭まる方向に力が働くため、腕に袖本体１５がぴったりとはりつき、袖まくりが解けにくい。
【００５６】
本実施形態のシャツ１によれば、ボタン５１，５２とは別にパラシュートボタン５５を設けている。そのため、仮に長年の使用等により、パラシュートボタン５５を支持する伸縮部材５３が劣化し、伸びきって塑性変形してしまった場合でも、ハサミ等でパラシュートボタン５５ごと伸縮部材５３の基端部から切り取ることで通常のシャツとして使用することができる。
【００５７】
続いて、本発明の第２実施形態のシャツについて説明する。なお、第１実施形態のシャツ１と同様の構成については、同一の付番を付して説明を省略する。以下、各実施形態も同様とする。
【００５８】
第２実施形態のシャツは、第１実施形態のシャツ１とカフスの形状が異なる。
第２実施形態のカフス１０１は、図１０に示されるように、カフス本体部１５０と、ボタンユニット１５４を備えている。
【００５９】
カフス本体部１５０は、図１２に示されるように、３枚のカフス形成布１５６，１５７，１５８が重なって構成されており、ボタンホール１６０を備えている。
カフス形成布１５６，１５７は、帯状に延びた略長方形状の布体であり、カフス形成布１５８は、略長方形状の布体である。
ボタンホール１６０は、パラシュートボタン５５と係合可能な係合孔であり、カフス本体部１５０の延び方向に対して交差方向（本実施形態では、直交方向）にスリット状に延びたスリット溝である。ボタンホール１６０は、カフス形成布１５６，１５７に跨って設けられ、カフス本体部１５０の厚み方向（カフス形成布１５６，１５７の重なり方向）に貫通した貫通孔である。
【００６０】
ボタンユニット１５４は、第１実施形態のボタンユニット５４と同様、伸縮部材５３と、パラシュートボタン５５から構成されている。
ボタンユニット１５４は、伸縮部材５３の両端部がパラシュートボタン５５から離反する方向に延びている。すなわち、伸縮部材５３の第１本体部７１と第２本体部７２は基端側（カフス本体部１５０側）に向かうにつれて広がっている。
【００６１】
続いて、本実施形態のシャツにおいて、各状態における袖の各部位の位置関係について説明する。まず、ボタン３３，５５をボタンホール２７，１６０から外した非係合状態について説明する。
【００６２】
カフス形成布１５６，１５７，１５８は、図１１に示されるようにそれぞれ縁に沿って内側に折り返されており、折り返し部分同士が対向するように重ねられている。
ボタンユニット１５４は、図１０，図１１から読み取れるように、伸縮部材５３の中間部がパラシュートボタン５５の各溝部６５，６６を通過し、一方の端部がカフス形成布１５６，１５７に挟まれて糸で縫製されて縫い目１７５が形成されており、他方の端部がカフス形成布１５６，１５８に挟まれて糸で縫製されて縫い目１７６，１７７が形成されている。
縫い目１７５，１７６，１７７は、いずれも伸縮部材５３の伸縮方向に対して交差する方向（本実施形態では直交方向）に延びている。
伸縮部材５３及びパラシュートボタン５５は、厚み方向のカフス形成布１５８の外側で各カフス形成布１５６〜１５８で支持されている。
【００６３】
続いて、ボタン３３，５５をボタンホール２７，１６０に係合させて留めた係合状態（袖まくり可能状態）について説明する。
【００６４】
カフス形成布１５６，１５７で形成される周方向Ｃの一方の縁部１８１は、図１０に示されるように、カフス形成布１５８とカフス形成布１５６の継ぎ目１８０と厚み方向に揃っている。すなわち、カフス形成布１５８は、周方向Ｃにおける大部分又は全部が、カフス本体部１５０の一方の端部側の部位に覆われている。そのため、伸縮部材５３が縮んだ状態では、カフス形成布１５８は実質的に視認不能となっている。
【００６５】
第２実施形態のシャツによれば、ボタンユニット１５４の両端がカフス形成布１５６，１５７及びカフス形成布１５７，１５８に挟まれて支持されているので、パラシュートボタン５５を留めた状態で袖まくりすると、伸縮部材５３がカフス形成布１５８と重なる位置にあってカフス形成布１５８とは離反する方向に伸びる。すなわち、カフス１０１の重なり方向に伸びて袖口の開口面積が広がる。そのため、パラシュートボタン５５を外さずとも袖まくりできる。
【００６６】
第２実施形態のシャツによれば、ボタンユニット１５４の両端がカフス形成布１５６，１５７及びカフス形成布１５７，１５８に挟まれており、さらにカフス１０１に重なるように配されるので、パラシュートボタン５５がカフス１０１の縁部８１から張り出さず、カフス本体部１５０上にあって近い位置に配されることになり、邪魔になりにくい。
【００６７】
第２実施形態のシャツによれば、係合状態において、カフス形成布１５８とカフス形成布１５６の継ぎ目１８０がカフス形成布１５６のボタンホール１６０側の端部と重なるため、継ぎ目１８０が見えにくく、通常のシャツのカフスと実質的に同様の外観とすることができる。
【００６８】
続いて、第３実施形態のシャツについて説明する。
【００６９】
第３実施形態のシャツは、第１実施形態のシャツ１と袖の形状が異なり、図１３に示されるように、剣ボロ１６に複数のボタンユニット１５４，１５４が設けられている。
ボタンユニット１５４は、伸縮部材５３の中間部がパラシュートボタン５５の各溝部６５，６６を通過し、下ボロ２１の幅方向の両端部を回りこむように取り付けられている。具体的には、伸縮部材５３の一方の端部側は、下ボロ２１の表面側から幅方向の一方側端部を経て裏面側に回り込んでおり、下ボロ２１と袖本体１５に挟まれた状態で糸によって縫製されて縫い目２７５が形成されている。伸縮部材５３の他方の端部側は、下ボロ２１の表面側から幅方向の反対側端部を経て裏面側に回り込んでおり、下ボロ２１と袖本体１５に挟まれた状態で糸によって縫製されて縫い目２７６が形成されている。
縫い目２７５，２７６は、いずれも伸縮部材５３の伸縮方向に対して交差する方向（本実施形態では直交方向）に延びている。
【００７０】
ボタンホール２２７，２２７は、パラシュートボタン５５，５５を留めたときに、長手方向が伸縮部材５３，５３の幅方向と一致している。具体的には、ボタンホール２２７，２２７は、ともに袖丈方向に延びている。
【００７１】
第３実施形態のシャツによれば、ボタンユニット１５４の両端が下ボロ２１を回りこむように、下ボロ２１と袖本体１５に挟まれているので、パラシュートボタン５５を留めた状態で袖まくりしたときに、伸縮部材５３が下ボロ２１と重なる位置にあって下ボロ２１とは離反する方向に伸びて上ボロ２０と下ボロ２１との間隔が広がる。そのため、パラシュートボタン５５を外さずとも袖まくりできる。
【００７２】
第３実施形態のシャツによれば、複数のパラシュートボタン５５，５５で留めるため、着用者の腕の太さにかかわらず、パラシュートボタン５５，５５をガントレットボタンとして機能させることができる。
【００７３】
続いて、第４実施形態のシャツについて説明する。
【００７４】
第４実施形態のシャツは、第３実施形態のカフス１７側のボタンユニット１５４の代わりにボタンユニット５４が取り付けられている。
具体的には、第４実施形態のシャツは、図１４のように、カフス１７と剣ボロ１６の境界部分にボタンユニット５４が取り付けられている。
ボタンユニット５４は、カフス１７から下ボロ２１の延び方向（袖丈方向）に張り出している。
ボタンユニット５４は、伸縮部材５３の両端部がカフス１７と剣ボロ１６に挟まれた状態で、糸で縫製されて縫い目３００が形成されている。
縫い目３００は、伸縮部材５３の伸縮方向に対して交差する方向（本実施形態では直交方向）に延びている。
【００７５】
ボタンホール３２７，２２７は、対応するボタンユニット５４，１５４のパラシュートボタン５５，５５を留めたときに、長手方向が伸縮部材５３，５３の幅方向と一致している。すなわち、ボタンホール３２７は、ボタンホール２２７と交差する方向（本実施形態では直交方向）に延びている。
【００７６】
第４本実施形態のシャツによれば、ボタンホール３２７，２２７の延び方向が異なるため、ボタンユニット５４のパラシュートボタン５５を外す際に、連動してボタンユニット１５４のパラシュートボタン５５が外れることを防止できる。
【００７７】
続いて、第５実施形態のシャツについて説明する。
【００７８】
第５実施形態のシャツは、図１５に示されるように、下ボロ２１にボタンユニット３５４が設けられている。
ボタンユニット３５４は、一つの伸縮部材５３に複数のパラシュートボタン５５，５５が取り付けられたものである。ボタンユニット３５４は、伸縮部材５３がカフス１７から下ボロ２１の延び方向に延びており、その中間部がそれぞれのパラシュートボタン５５の各溝部６５，６６を通過している。
伸縮部材５３の一方の端部は、カフス１７と下ボロ２１に挟まれた状態で糸によって縫製されて縫い目３５０が形成されており、他方の端部は、上ボロ２０と下ボロ２１に挟まれた状態で糸によって縫製されて縫い目３５１が形成されている。
各パラシュートボタン５５，５５は、伸縮部材５３の延び方向に所定の間隔を空けて配されている。
伸縮部材５３の延び方向において、パラシュートボタン５５，５５の間及びパラシュートボタン５５の外側では、糸により伸縮部材５３が袖本体１５に対して縫い付けられており、縫い目３５３，３５３，３５３が形成されている。すなわち、各パラシュートボタン５５は、隣接する縫い目３５３，３５３に挟まれている。
【００７９】
ボタンホール３２７，３２７は、パラシュートボタン５５，５５を留めたときに各パラシュートボタン５５，５５に対応するように設けられており、長手方向が伸縮部材５３の幅方向と一致している。具体的には、ボタンホール３２７，３２７は、ともに同一方向に延びている。
【００８０】
第５実施形態のシャツによれば、伸縮部材５３が縫い目３５３によって下ボロ２１に固定されており、縫い目３５３は各パラシュートボタン５５，５５を挟むように間隔を空けて設けられているので、パラシュートボタン５５，５５を留めた状態で袖まくりしたときに、伸縮部材５３は、縫い目３５３，３５３を起点としてパラシュートボタン５５が離れる方向に伸びて上ボロ２０と下ボロ２１との間隔が広がる。そのため、パラシュートボタン５５を外さずとも袖まくりできる。
【００８１】
続いて、第６実施形態のシャツについて説明する。
【００８２】
第６実施形態のシャツのカフス本体部４００は、図１６，図１７から読み取れるように、３枚のカフス形成布４５６，４５７，４５８が重なって構成されており、ボタンホール６０と、ボタンユニット５４と、挿通孔４６０を備えている。
カフス形成布４５６，４５７は、図１７に示されるように、帯状に延びた略長方形状の布体であり、カフス形成布４５８は、略長方形状の布体である。
挿通孔４６０は、ボタンユニット５４を挿通可能であって、カフス形成布４５６，４５８に跨って設けられた連通孔である。
挿通孔４６０は、カフス本体部４００を厚み方向に貫通した貫通孔であり、袖丈方向にスリット状に延びたスリット溝である。
挿通孔４６０は、パラシュートボタン５５をボタンホール６０に留めたときにボタンホール６０と交差する方向（本実施形態では直交方向）に延びている。
ボタンユニット５４は、図１６に示されるように、伸縮部材５３がカフス形成布４５６，４５８の挿通孔４６０を通過し、両端部がカフス形成布４５７，４５８に挟まれた状態で、糸によって縫製されて縫い目４６１が形成されている。
【００８３】
第６実施形態のシャツによれば、伸縮部材５３がカフス本体部４００の裏側で縫い目４６１によって固定されており、縫い目４６１は挿通孔４６０から離れた位置に設けられているので、パラシュートボタン５５を留めた状態で袖まくりしたときに、伸縮部材５３は、縫い目４６１を起点としてパラシュートボタン５５が挿通孔４６０から離れる方向に伸びて縁部８１，８２の間隔が広がる。そのため、パラシュートボタン５５を外さずとも袖まくりできる。
【００８４】
第６実施形態のシャツによれば、縫い目４６１がカフス形成布４５６で隠されており、さらに挿通孔４６０から伸縮部材５３が張り出した形状となるため、伸縮部材５３の端部が見えにくく、デザイン性が高い。
【００８５】
続いて、第７実施形態のシャツについて説明する。
【００８６】
第７実施形態のシャツのカフス本体部５００は、図１８に示されるように、４枚のカフス形成布５５６，５５７，５５８，５５９が重なって構成されており、ボタン５１と、ボタンホール６０と、ボタンユニット１５４を備えている。
ボタンユニット１５４は、カフス形成布５５８上に設けられ、その一方の端部がカフス形成布５５８の一方の端部とともにカフス形成布５５７，５５９に挟まれて糸で縫製されて縫い目５７５が形成されており、他方の端部がカフス形成布５５８の他方の端部とともにカフス形成布５５７，５５６に挟まれて糸で縫製されて縫い目５７６が形成されている。
【００８７】
続いて、第８実施形態のシャツについて説明する。
【００８８】
第８実施形態のシャツの袖６００は、図１９に示されるように、ボタンユニット１５４の伸縮部材５３が下ボロ６０１の表面側覆部３１に隠されるように取り付けられるものである。袖６００は、下ボロ６０１の表面側覆部３１に挿通孔６０５が形成されている。
挿通孔６０５は、ボタンユニット１５４を挿通可能な穴であって、表面側覆部３１を厚み方向に貫通した貫通孔である。挿通孔６０５は、スリット溝であって、パラシュートボタン５５をボタンホール３２７に留めたときにボタンホール３２７と同一方向に延びている。
ボタンユニット１５４は、図１９のように、伸縮部材５３が表面側覆部３１の表面側（パラシュートボタン５５側）から挿通孔６０５を通過して裏面側（袖本体１５側）に至っており、表面側覆部３１と袖本体１５の間を這っている。
そして、伸縮部材５３の一方の端部は、袖本体１５とともに表面側覆部３１と裏面側覆部３２に挟まれており、さらに表面側覆部３１と裏面側覆部３２の外側をカフス形成布５６，５７に挟まれている。そして、これらが糸で縫製されて縫い目３５０が形成されている。伸縮部材５３の他方の端部は、袖本体１５とともに表面側覆部３１と裏面側覆部３２に挟まれており、糸で縫製されて縫い目３５１が形成されている。
【００８９】
第８実施形態の袖６００によれば、伸縮部材５３の大部分が表面側覆部３１で覆われており、実質的にパラシュートボタン５５及びその近傍のみしか露出しない。そのため、通常のガントレットボタン３３と変わらない外観にできる。
【００９０】
上記した第１実施形態では、ボタンユニット５４をカフス形成布５６，５７に挟んで固定したが、本発明はこれに限定されるものではない。
図２０（ａ），図２０（ｂ）に示されるように、下ボロ２１と袖本体１５とで挟んで固定してもよい。この場合、伸縮部材５３の下ボロ２１からの張出方向は特に限定されない。例えば、ボタンユニット５４は、図２０（ａ）のように切り込み１８と反対側から張り出すように伸縮部材５３の両端部を袖本体１５と下ボロ２１に挟んで固定しても良いし、図２０（ｂ）のように切り込み１８側から張り出すように伸縮部材５３の両端部を袖本体１５と下ボロ２１に挟んで固定しても良い。
【００９１】
上記した第１実施形態では、袖口を締めるためのボタンホール６０と係合可能なボタンとして２つのボタン５１，５２を使用していたが、本発明はこれに限定されるものではない。ボタンホール６０と係合可能なボタンは１つであってもよいし、３つ以上であってもよい。
【００９２】
上記した第２実施形態では、カフス形成布１５８を横切るようにボタンユニット１５４が取り付けられていたが、本発明はこれに限定されるものではない。
例えば、図２１のように、伸縮部材５３の両端部がカフス形成布１５６，１５７に挟まれ、カフス形成布１５８に被さるようにボタンユニット５４を取り付けてもよい。
【００９３】
上記した第３実施形態では、剣ボロ１６に２つのボタン５５，５５を設けていたが、本発明はこれに限定されるものではない。一つのパラシュートボタン５５が設けられていてもよいし、３以上のパラシュートボタン５５が設けられていてもよい。
【００９４】
上記した実施形態では、伸縮部材５３の中間部に取り付けるボタンとしてパラシュートボタン５５を使用したが、本発明はこれに限定されるものではない。
例えば、図２２のように、パラシュートボタン５５の代わりに、糸等の取付部材７０１によって、２つ穴ボタンや３つ穴ボタン、４つ穴ボタン等の複数穴ボタン、その他一般に使用されている通常のボタン７００（図２２では一例として４つ穴ボタンを図示している）を伸縮部材５３の中間部に取り付けてもよい。また、タックボタンとリベット（取付部材）の組み合わせにより、タックボタンを伸縮部材５３の中間部に取り付けてもよい。
また、ボタンの種類や取り付け方に応じて適宜ボタンホール６０の延び方向の設定が可能である。例えば、第２実施形態の構造において、図２３のように通常のボタン７００を使用する場合には、ボタンホール１６０は、周方向Ｃ（カフス本体部１５０の延び方向）に延びていてもよい。
【００９５】
上記した実施形態では、カフスがシングルカフスの場合について説明したが、本発明はこれに限定されるものではない。
カフスは、コンバーチブルカフスであってもよいし、ダブルカフスであってもよいし、ターンナップカフスであってもよいし、テニスカフスであってもよい。
【符号の説明】
【００９６】
１  シャツ
６，６００  袖
１６  剣ボロ
１７，１０１  カフス
２０  上ボロ
２１，６０１  下ボロ
２７  ボタンホール
３０  折り返し部分
３１  表面側覆部（覆部）
３２  裏面側覆部（覆部）
５１，５２  ボタン（第２ボタン）
５３  伸縮部材
５４，１５４，３５４  ボタンユニット
５５  パラシュートボタン
５６，５７，１５６〜１５８，４５６〜４５８，５５６〜５５９  カフス形成布
６０  ボタンホール（第２ボタンホール）
６１，１６０，２２７，３２７  ボタンホール（ボタンホール）
６５，６６  溝部
８１，８２，１８１  ：縁部
７００  ボタン
【図１】
2018145573.tif 000003
【図２】
2018145573.tif 000004
【図３】
2018145573.tif 000005
【図４】
2018145573.tif 000006
【図５】
2018145573.tif 000007
【図６】
2018145573.tif 000008
【図７】
2018145573.tif 000009
【図８】
2018145573.tif 000010
【図９】
2018145573.tif 000011
【図１０】
2018145573.tif 000012
【図１１】
2018145573.tif 000013
【図１２】
2018145573.tif 000014
【図１３】
2018145573.tif 000015
【図１４】
2018145573.tif 000016
【図１５】
2018145573.tif 000017
【図１６】
2018145573.tif 000018
【図１７】
2018145573.tif 000019
【図１８】
2018145573.tif 000020
【図１９】
2018145573.tif 000021
【図２０】
2018145573.tif 000022
【図２１】
2018145573.tif 000023
【図２２】
2018145573.tif 000024
【図２３】
2018145573.tif 000025